(57)【要約】【課題】球発射装置から発射された遊技球を遊技領域へ案内するガイドレールの位置ずれを生じ難くして、遊技球のムラ飛びを防止することが可能な遊技機を提供する。【解決手段】遊技盤５は、遊技盤本体４４と、遊技盤本体４４の前面側に遊技領域７を区画形成する区画部材とを備え、該区画部材は、ガイドレール６８と、位置決め部材３７の側端部に当接可能な位置決め当接受部８４とを備え、固定部材３９は、遊技盤５を固定する固定状態と固定を解除する固定解除状態とに変換可能であり、固定状態において遊技盤５の他側部を位置決め部材側に押圧する固定押圧部４８を備え、遊技盤収納部２３に遊技盤５を収納して固定部材３９を固定状態にすると、固定押圧部４８により遊技盤５を押圧して位置決め部材３７の側端部と位置決め当接受部８４とを当接して、遊技盤収納部２３内における遊技盤５およびガイドレール６８の左右方向の位置決めを行うように構成した。【選択図】図５
2010075767.tif 000002
【特許請求の範囲】
【請求項１】
遊技盤と、該遊技盤を前方から着脱可能な状態で収納する遊技盤収納部と、前記遊技盤の下方に配設される球発射装置と、を備え、
前記遊技盤収納部の一側に、遊技盤に当接可能な位置決め部材を配置し、遊技盤収納部の他側に、遊技盤の他側部を固定可能な固定部材を配置した遊技機において、
前記遊技盤は、遊技盤本体と、該遊技盤本体の周縁部に配置され、遊技盤本体の前面側に遊技領域を区画形成する区画部材と、を備え、
該区画部材は、前記球発射装置から発射された遊技球を遊技領域へ案内するガイドレールと、位置決め部材の左右方向の側端部に当接可能な位置決め当接受部と、を備え、
前記固定部材は、前記遊技盤を固定する固定状態と該遊技盤の固定を解除する固定解除状態とに変換可能であり、前記固定状態において前記遊技盤の他側部を位置決め部材側に押圧する固定押圧部を備え、
前記遊技盤収納部に遊技盤を収納して前記固定部材を固定解除状態から固定状態に変換すると、前記固定押圧部により遊技盤を押圧して位置決め部材の側端部と位置決め当接受部とを当接して、遊技盤収納部内における遊技盤およびガイドレールの左右方向の位置決めを行うように構成したことを特徴とする遊技機。
【請求項２】
前記遊技盤収納部は、その後部に遊技盤の裏面側へ当接可能な背面壁部を備え、
前記固定部材は、前記固定状態において前記遊技盤の前面を前記背面壁部側に押圧可能な固定係合部を備え、
前記遊技盤収納部に遊技盤を収納して前記固定部材を固定解除状態から固定状態に変換すると、前記固定係合部と前記背面壁部との間に遊技盤を挟持して、遊技盤収納部内における遊技盤の前後方向の移動を規制するようにしたことを特徴とする請求項１に記載の遊技機。
【請求項３】
前記遊技盤収納部は、その後部に遊技盤の裏面側へ当接可能な背面壁部を備え、該背面壁部から前方へ離間した位置に前記位置決め部材を配置し、
前記位置決め当接受部は、前記区画部材の前面側に前記遊技盤の本体の一側縁よりも遊技領域寄りに配置され、
前記遊技盤収納部に遊技盤を収納すると、前記背面壁部と前記位置決め部材との間に遊技盤の一側部を挟持し、この状態で前記固定部材を固定解除状態から固定状態に変換すると、前記固定押部により遊技盤を前記位置決め部材側に押圧して位置決め部材の側端部と位置決め当接受部とを遊技盤本体の一側縁よりも遊技領域側にずれた位置で当接して、遊技盤収納部内における遊技盤およびガイドレールの左右方向の位置決めを行うようにしたことを特徴とする請求項１または請求項２に記載の遊技機。
【請求項４】
前記位置決め当接受部は、前記位置決め部材側から前記遊技領域側へ向けて凹ませて位置決め嵌合部を形成し、
前記遊技盤収納部に遊技盤を収納すると、前記位置決め嵌合部に前記位置決め部材の上縁部または下縁部の少なくともいずれか一方を当接して、前記遊技盤収納部内における遊技盤およびガイドレールの上下方向の位置決めを行うように構成したことを特徴とする請求項１から請求項３のいずれかに記載の遊技機。
【発明の詳細な説明】
【技術分野】
【０００１】
本発明は、遊技盤と、該遊技盤を前方から着脱可能な状態で収納する遊技盤収納部とを備えたパチンコ遊技機等の遊技機に関する。
【背景技術】
【０００２】
従来の遊技機、例えば、パチンコ遊技機においては、その前面側に凹室状の遊技盤収納部を備え、該遊技盤収納部に矩形状の遊技盤を着脱可能な状態で収納している。そして、遊技盤収納部の一側には、遊技盤の一側部を係止可能な係止手段と、遊技盤の左右方向の位置決めを行う位置決め部材とを備え、遊技盤収納部の他側には、遊技盤の他側部を固定可能な固定手段を備えている（特許文献１参照）。
【先行技術文献】
【特許文献】
【０００３】
【特許文献１】特開２００５−１９２５８９号公報
【発明の概要】
【発明が解決しようとする課題】
【０００４】
ところで、近年では、遊技盤の遊技領域に大型の表示装置を配置して遊技演出の迫力を増したり、あるいは多くの役物を配置して遊技の興趣を向上させたりする傾向にある。このため、遊技盤を従来よりも拡大して遊技領域をできる限り広く確保することが望まれている。しかしながら、上記特許文献に記載のパチンコ遊技機では、遊技盤の側方に位置決め部材を遊技盤側へ突設した状態で配置しているため、遊技盤の横幅は、遊技盤収納部の横幅よりも少なくとも位置決め部材の横幅の分だけ狭く設定しなければならない。このため、遊技領域を十分に広く設定することができず、遊技領域のデザインの自由度を増大し難く、遊技の興趣を高め難い。
【０００５】
そこで、位置決め部材を除去することも考えられるが、遊技盤を着脱可能な状態で収納する関係上、遊技盤収納部が遊技盤よりも少し大きく形成されているため、位置決め部材を無くしてしまうと、遊技盤が当初設定されていた位置からずれる虞がある。すると、遊技盤の下方に配設される球発射装置から発射された遊技球を遊技領域へ案内するガイドレールの位置もずれてしまい、遊技球の所謂ムラ飛びを生じ易い。さらに、遊技領域を流下した遊技球を回収する回収路の接続位置もずれる虞があり、回収路の接続部分で球詰まりが生じる等の不具合が発生し易くなってしまう。
【０００６】
また、上記特許文献の遊技盤は、遊技盤本体にガイドレール（詳しくはガイドレールを備えた区画部材）を止着し、遊技盤本体を位置決め部材に当接することでガイドレールの位置決めを行っている。このため、遊技盤収納部を直接基準としてガイドレールの位置を決めることができず、遊技盤収納部とガイドレールとの位置関係がずれ易い。この結果、遊技球のムラ飛びを一層発生し易くなってしまう。
【０００７】
本発明は、上記の事情に鑑みてなされたものであり、その目的は、遊技盤の位置決めの機構を工夫することにより、球発射装置から発射された遊技球を遊技領域へ案内するガイドレールの位置ずれを生じ難くして、遊技球のムラ飛びを防止することが可能な遊技機を提供しようとするものである。
【課題を解決するための手段】
【０００８】
本発明は、上記目的を達成するために提案されたものであり、請求項１に記載のものは、遊技盤と、該遊技盤を前方から着脱可能な状態で収納する遊技盤収納部と、前記遊技盤の下方に配設される球発射装置と、を備え、
該遊技盤収納部の一側に、遊技盤に当接可能な位置決め部材を配置し、遊技盤収納部の他側に、遊技盤の他側部を固定可能な固定部材を配置した遊技機において、
前記遊技盤は、遊技盤本体と、該遊技盤本体の周縁部に配置され、遊技盤本体の前面側に遊技領域を区画形成する区画部材と、を備え、
該区画部材は、前記球発射装置から発射された遊技球を遊技領域へ案内するガイドレールと、位置決め部材の左右方向の側端部に当接可能な位置決め当接受部と、を備え、
前記固定部材は、前記遊技盤を固定する固定状態と該遊技盤の固定を解除する固定解除状態とに変換可能であり、前記固定状態において前記遊技盤の他側部を位置決め部材側に押圧する固定押圧部を備え、
前記遊技盤収納部に遊技盤を収納して前記固定部材を固定解除状態から固定状態に変換すると、前記固定押圧部により遊技盤を押圧して位置決め部材の側端部と位置決め当接受部とを当接して、遊技盤収納部内における遊技盤およびガイドレールの左右方向の位置決めを行うように構成したことを特徴とする遊技機である。
【０００９】
請求項２に記載のものは、前記遊技盤収納部が、その後部に遊技盤の裏面側へ当接可能な背面壁部を備え、
前記固定部材は、前記固定状態において前記遊技盤の前面を前記背面壁部側に押圧可能な固定係合部を備え、
前記遊技盤収納部に遊技盤を収納して前記固定部材を固定解除状態から固定状態に変換すると、前記固定係合部と前記背面壁部との間に遊技盤を挟持して、遊技盤収納部内における遊技盤の前後方向の移動を規制するようにしたことを特徴とする請求項１に記載の遊技機である。
【００１０】
請求項３に記載のものは、前記遊技盤収納部が、その後部に遊技盤の裏面側へ当接可能な背面壁部を備え、該背面壁部から前方へ離間した位置に前記位置決め部材を配置し、
前記位置決め当接受部は、前記区画部材の前面側に前記遊技盤の本体の一側縁よりも遊技領域寄りに配置され、
前記遊技盤収納部に遊技盤を収納すると、前記背面壁部と前記位置決め部材との間に遊技盤の一側部を挟持し、この状態で前記固定部材を固定解除状態から固定状態に変換すると、前記固定押部により遊技盤を前記位置決め部材側に押圧して位置決め部材の側端部と位置決め当接受部とを遊技盤本体の一側縁よりも遊技領域側にずれた位置で当接して、遊技盤収納部内における遊技盤およびガイドレールの左右方向の位置決めを行うようにしたことを特徴とする請求項１または請求項２に記載の遊技機である。
【００１１】
請求項４に記載のものは、前記位置決め当接受部が、前記位置決め部材側から前記遊技領域側へ向けて凹ませて位置決め嵌合部を形成し、
前記遊技盤収納部に遊技盤を収納すると、前記位置決め嵌合部に前記位置決め部材の上縁部または下縁部の少なくともいずれか一方を当接して、前記遊技盤収納部内における遊技盤およびガイドレールの上下方向の位置決めを行うように構成したことを特徴とする請求項１から請求項３のいずれかに記載の遊技機である。
【発明の効果】
【００１２】
本発明によれば、以下のような優れた効果を奏する。
請求項１に記載の発明によれば、遊技盤は、遊技盤本体と、該遊技盤本体の周縁部に配置され、遊技盤本体の前面側に遊技領域を区画形成する区画部材とを備え、該区画部材は、遊技盤下方の球発射装置から発射された遊技球を遊技領域へ案内するガイドレールと、位置決め部材の左右方向の側端部に当接可能な位置決め当接受部とを備え、固定部材は、遊技盤を固定する固定状態と該遊技盤の固定を解除する固定解除状態とに変換可能であり、固定状態において遊技盤の他側部を位置決め部材側に押圧する固定押圧部を備え、遊技盤収納部に遊技盤を収納して固定部材を固定解除状態から固定状態に変換すると、固定押圧部により遊技盤を押圧して位置決め部材の側端部と位置決め当接受部とを当接して、遊技盤収納部内における遊技盤およびガイドレールの左右方向の位置決めを行うように構成したので、ガイドレールの左右方向の位置決めを遊技盤本体を介さずに行うことができ、ガイドレールの位置ずれを生じ難くすることができる。したがって、遊技球の所謂ムラ飛びを抑えることができる。
【００１３】
請求項２に記載の発明によれば、遊技盤収納部は、その後部に遊技盤の裏面側へ当接可能な背面壁部を備え、固定部材は、固定状態において遊技盤の前面を背面壁部側に押圧可能な固定係合部を備え、遊技盤収納部に遊技盤を収納して固定部材を固定解除状態から固定状態に変換すると、固定係合部と背面壁部との間に遊技盤を挟持して、遊技盤収納部内における遊技盤の前後方向の移動を規制するようにしたので、設定どおりに位置決めされた遊技盤を安定させることができる。
【００１４】
請求項３に記載の発明によれば、遊技盤収納部は、その後部に遊技盤の裏面側へ当接可能な背面壁部を備え、該背面壁部から前方へ離間した位置に位置決め部材を配置し、位置決め当接受部は、区画部材の前面側に遊技盤の本体の一側縁よりも遊技領域寄りに配置され、遊技盤収納部に遊技盤を収納すると、背面壁部と位置決め部材との間に遊技盤の一側部を挟持し、この状態で固定部材を固定解除状態から固定状態に変換すると、固定押部により遊技盤を位置決め部材側に押圧して位置決め部材の側端部と位置決め当接受部とを遊技盤本体の一側縁よりも遊技領域側にずれた位置で当接して、遊技盤収納部内における遊技盤およびガイドレールの左右方向の位置決めを行うようにしたので、遊技盤の一側部と位置決め部材とを重なり合う状態で配置することができ、位置決め部材を遊技盤の側方に配置する必要がない。したがって、遊技盤を遊技盤収納部の側部まで拡げることができ、ひいては、遊技領域を十分に広く設定することができる。このことから、遊技領域のデザインの自由度、例えば、遊技領域内の役物の大きさ、配置場所や配置個数等の自由度を増すことができ、遊技の興趣を高めた遊技機を実現することができる。また、位置決め部材により遊技盤の左右方向の位置決めだけではなく、遊技盤の前後方向の移動も規制することができる。
【００１５】
請求項４に記載の発明によれば、位置決め当接受部は、位置決め部材側から遊技領域側へ向けて凹ませて位置決め嵌合部を形成し、遊技盤収納部に遊技盤を収納すると、位置決め嵌合部に位置決め部材の上縁部または下縁部の少なくともいずれか一方を当接して、遊技盤収納部内における遊技盤およびガイドレールの上下方向の位置決めを行うように構成したので、遊技盤およびガイドレールの左右方向の位置決めを行うための構成要素と、上下方向の位置決めを行うための構成要素とを別個に設ける必要がなく、遊技盤の構成を一層簡素化することができる。
【図面の簡単な説明】
【００１６】
【図１】パチンコ遊技機の斜視図である。
【図２】前面カバー部材を開き、遊技盤を取り外した状態のパチンコ遊技機の斜視図である。
【図３】前面カバー部材を開いた状態のパチンコ遊技機の正面図である。
【図４】遊技盤収納部の係止部材の周辺図であり、（ａ）は遊技盤を取り付けた状態図、（ｂ）は遊技盤を取り外した状態図である。
【図５】（ａ）はクランプの周辺図、（ｂ）は固定部材の周辺図である。
【図６】発射球案内ユニットの斜視図である。
【図７】遊技盤本体と発射球案内ユニットの後方から見た分解斜視図である。
【図８】遊技盤を取り付ける途中の前面枠の断面図であり、（ａ）は係止部材周辺の断面図、（ｂ）は位置決め部材周辺の断面図である。
【図９】遊技盤を収納した状態の前面枠の断面図であり、（ａ）は係止部材周辺の断面図、（ｂ）は位置決め部材周辺の断面図である。
【図１０】第２実施形態の遊技盤収納部および発射球案内ユニットの部分拡大図デアリ、（ａ）は遊技盤を取り付けた状態の係止部材の周辺図、（ｂ）は遊技盤を取り付けた状態の係止部材の周辺図、（ｃ）は発射球案内ユニットの位置決め当接受部の周辺図である。
【発明を実施するための形態】
【００１７】
以下、代表的な遊技機であるパチンコ遊技機を例に挙げて本発明の実施の最良の形態を図面に基づき説明する。図１はパチンコ遊技機の斜視図、図２は遊技盤を取り外した状態のパチンコ遊技機の斜視図、図３は前面カバー部材を開放した状態におけるパチンコ遊技機の正面図である。
パチンコ遊技機１は、外枠（機枠あるいは本体枠）２に、大きな矩形状開口部を有する略額縁状の前面枠（内枠）３を開閉可能に軸着し、この前面枠３のベースとなる前面枠本体４に矩形状の遊技盤５を収納可能とし、遊技盤５の表面には、表示装置や入賞口等の役物（いずれも図示せず）を配設した遊技領域７と、この遊技領域７内へ遊技球を案内するための案内誘導路８とを形成している。また、前面枠３の前面側には、一側（図１中左側）が軸着された前面カバー部材（ガラス枠）９を開閉（回動）可能に設け、該前面カバー部材９に透視可能なガラス板１０を収納し、前面カバー部材９を閉じると、遊技盤５が前面カバー部材９により覆われるとともに、ガラス板１０を通して遊技領域７を前方から透視できるように構成している。さらに、前面カバー部材９の下方に上皿ユニット１１と下皿ユニット１２とを左右に少し位置をずらした状態で上下に設け、下皿ユニット１２の左側に灰皿１３を備え、下皿ユニット１２の右側に、遊技球を遊技領域７へ向けて発射操作するための発射操作ユニット（発射操作ハンドル）１４を備えている。
【００１８】
また、上皿ユニット１１と下皿ユニット１２との間、および前面カバー部材９の上側両側部には、遊技状態に応じて音を発生するスピーカー１６を配置し、前面カバー部材９の上辺部、左右両側辺部、および上皿ユニット１１の前縁部には、遊技状態に応じて点灯する長尺な装飾ランプ１７を配置している。さらに、前面カバー部材９の下辺部には、球貸用操作スイッチ１８および返却用操作スイッチ１９を備えている。そして、パチンコ遊技機１の側方に配置されたカードユニット（図示せず）にプリペイドカード等の記憶媒体を挿入し、この状態で球貸用操作スイッチ１８を操作すると、前面枠３の裏側に設けられた球排出装置２０（図２参照）が作動して遊技球が上皿ユニット１１に排出され、返却用操作スイッチ１９を操作すると、カードユニット内の記憶媒体が返却される。
【００１９】
外枠２は、前後を開放した縦長長方形の枠体であり、上横材２ａと左縦材２ｂと下横材２ｃとを厚肉な短冊状の木製板材で形成するとともに、右縦材２ｄを左縦材２ｂよりも薄い短冊状の金属製板材で形成して、右縦材２ｄを厚肉な木製板材で形成した場合よりも外枠２の横方向の内側寸法、すなわち前面枠３の収容空間の横幅を広く設定している。また、外枠２の左側の上下両端部には、前面枠３を軸着するヒンジを一体に設けた補強金具（ヒンジ金具）２ｅを止着している。
【００２０】
前面枠本体４は、矩形状の開口部を上寄りに開設した合成樹脂製枠体であり、開口部の周縁に額縁状の遊技盤収納部２３を備え、遊技盤収納部２３内に遊技盤５を着脱可能な状態で収納するように構成されている。また、遊技盤収納部２３の下方にボード部２４を備え、該ボード部２４の上端に遊技盤載置部２５を設け、該遊技盤載置部２５に遊技盤５の下端を載置することで、遊技盤５の上下方向の位置を規制できるように構成されている。なお、本実施形態の前面枠本体４は、遊技盤収納部２３およびボード部２４を含んだ状態で合成樹脂により一体成型されているが、遊技盤収納部２３およびボード部２４を別部材にして取り付けてもよい。
【００２１】
さらに、前面枠本体４の右端部には、前面カバー部材９の他側（軸着側とは反対側となる右側）にフックを掛止して前面カバー部材９を閉状態でロック可能なロック機構（図示せず）を備えている。そして、前面枠本体４の左端部の前側には、前面枠本体４の側縁部（左側縁部）を補強するための縦長な金属製補強プレート２７を止着し、遊技盤収納部２３を幅広に形成するために前面枠本体４の側縁部を薄肉に形成したとしても前面枠本体４が十分な強度を維持して損傷し難くなるように構成されている。また、補強プレート２７の前側には、前面枠本体４と前面カバー部材９との隙間を閉塞可能な不正部材侵入阻止壁２７ａ（図４参照）を前方へ突設し、前面枠本体４と前面カバー部材９との隙間からピアノ線等の不正部材が侵入して不正行為が行われることを阻止できるように構成されている。そして、前面枠本体４の上縁部のうち、前面カバー部材９と重合可能な前縁部には、前面カバー部材９の開放および閉成を検出可能な検出スイッチ２８を備えている（図５（ａ）参照）。
【００２２】
遊技盤収納部２３は、図３に示すように、前面枠３の軸着側（図中左側）に左側壁部３１を備えるとともに、軸着側とは反対の開放側（図中右側）に右側壁部３２を備えている。また、左側壁部３１の上端部と右側壁部３２の上端部とを接続する状態で上側壁部３３を備え、各側壁部３１，３２，３３の後縁（すなわち遊技盤収納部２３の後部）から内側に向かって背面壁部３４を形成し（図４（ｂ）参照）、該背面壁部３４に遊技盤５の裏面側を当接できるように構成されている。このような構成からなる遊技盤収納部２３は、前方を開口した凹状に形成され、前面枠本体４の前面から一段窪ませた状態で設けられている。
【００２３】
そして、遊技盤収納部２３の左側壁部３１（すなわち遊技盤収納部２３の一側）には、遊技盤５の一側部（図３中左側部）を前方から係止可能な係止部材３６を上下２箇所に設け、該係止部材３６の近傍には、遊技盤５に当接可能なリブ状の位置決め部材３７を配置している（図４（ｂ）参照）。また、遊技盤収納部２３の上側壁部３３の右寄りには、遊技盤５の上部を押圧可能なクランプ３８を回動可能な状態で軸着し、遊技盤収納部２３の右側壁部３２（すなわち遊技盤収納部２３の他側）の下部には、遊技盤５の他側部（図３中右側）を固定可能な固定部材３９（図５（ｂ）参照）を配置している。
【００２４】
係止部材３６は、弾性を有する金属板を成形した止着金具であり、図４に示すように、左側壁部３１に開設された開口部４０から遊技領域７側（図４（ａ）中右側）へ向けて略円弧状に延設され、背面壁部３４から前方へ離れた位置に配置されている。また、係止部材３６の延出端部（図４中右端部）には、後方へ突出する状態に屈曲して押圧部４１を形成し、該押圧部４１を遊技盤５の前面側へ引っ掛けて遊技盤５を位置決め部材３７側、言い換えると左側壁部３１側に押圧できるように構成されている。なお、係止部材３６の係止作用については、後で詳細に説明する。
【００２５】
位置決め部材３７は、係止部材３６よりも遊技盤収納部２３の上下方向の中央寄りに配置され、遊技盤収納部２３の左側壁部３１と背面壁部３４とが形成する隅部から横方向へ延出した状態で形成されている。また、位置決め部材３７の前後幅を後述する遊技盤５の遊技盤本体４４の前後幅よりも狭く設定し、位置決め部材３７の前端部を係止部材３６の押圧部（延出端部）４１よりも後方に配置している（図８（ｂ）および図９（ｂ）参照）。
【００２６】
クランプ３８は、図５（ａ）に示すように、左右方向へ回動可能な状態で軸着された短冊状の部材であり、当該クランプ３８の自由端部となる先端部（図５（ａ）中下端部）には、回動操作時に指などを引っ掛けるための回動操作部４６を前方へ突設している。そして、当該クランプ３８を回動して縦向きに配置すると、クランプ３８の先端部が遊技盤収納部２３内の遊技盤５の前面に移動して背面壁部３４との間で遊技盤５を挟み込む挟持状態に変換する。一方、当該クランプ３８を回動して横向きに配置すると、クランプ３８の先端部が遊技盤収納部２３内の遊技盤５の前面から退避して遊技盤５を解放する挟持解放状態に変換する。
【００２７】
固定部材３９は、図５（ｂ）に示すように、上下方向へ回動可能な状態で軸着された固定係合部４７と、該固定係合部４７の後方に配置され、固定係合部４７よりも短い舌状の固定押圧部４８とを備え、固定係合部４７の自由端部となる先端部（図５（ｂ）中左端部）には、回動操作時に指などを引っ掛けるための固定操作部４９を前方へ突設している。そして、固定部材３９を回動して横向きに配置すると、固定係合部４７の先端部が遊技盤収納部２３内の遊技盤５の前方に移動するとともに遊技盤５の前面を押圧して、遊技盤５の前後方向の移動を規制する固定状態に変換する。この固定状態においては、固定押圧部４８の先端部が遊技盤５の側面（右側面）を押圧して、遊技盤５の左右方向の移動を規制する。一方、固定部材３９を回動して縦向きに配置すると、固定係合部４７の先端部が遊技盤収納部２３内の遊技盤５の前方から退いて右側壁部３２側に移動し、遊技盤５の前後方向の移動を許容する固定解除状態に変換する。この固定解除状態においては、固定押圧部４８の先端部が遊技盤５の側面（右側面）から後退し、遊技盤５の左右方向の移動を許容する。
【００２８】
次に、遊技盤５について説明する。
遊技盤５は、図２および図３に示すように、略矩形状の遊技盤本体４４と、該遊技盤本体４４の周縁部に配置され、遊技盤本体４４の前面側（表面側）に遊技領域７を略円形に区画形成する区画部材（サイドケース）５０とを備えて構成されている。遊技盤本体４４は、合板やプラスチックなどにより形成される厚肉な板材であり、当該遊技盤本体４４の中央部分およびその周辺には、表示装置や入賞口等の役物を取り付けるための取付開口（図示せず）を開設している。そして、図７に示すように、遊技盤本体４４の下縁部には、アウト口５１を構成するアウト口用切欠部５２を前後に貫通する状態で形成して、遊技領域７の下縁部まで流下した遊技球をアウト口５１から遊技盤５の後方へ回収できるように構成されている。また、遊技盤本体４４の縁部周辺には、区画部材５０を止着するための止着穴５３を複数開設している。さらに、遊技盤本体４４の一側縁（図７中右側縁）の上下両側には、区画部材５０の一部を収容するための収容空間部５４を遊技領域７側（図７中左側）へ凹ませた状態で切り欠いて形成している。
【００２９】
区画部材５０は、遊技盤５の下方の発射装置（図示せず）から発射された遊技球を遊技領域７へ案内し、遊技領域７の一側（図中左側）を区画する略Ｃ字状の発射球案内ユニット５６と、該発射球案内ユニット５６の一端（図中右上端）に隣接した状態で止着し、遊技領域７の右上側を区画する上側区画部５７と、発射球案内ユニット５６の他端（図中右下端）に隣接した状態で止着するとともに上側区画部５７に隣接した状態で止着し、遊技領域７の右下側を区画する下側区画部５８とに３分割して構成されている。
【００３０】
上側区画部５７は、遊技領域７側の縁部（下縁部）を円弧状に形成するとともに、発射球案内ユニット５６の右上端から遊技盤５の右側へ向けて下り傾斜させて、遊技領域７の上側から左側中央部分に亘って円弧状に区画している。また、遊技領域７側の縁部の途中には、ゴム製の緩衝部材５９を備え、案内誘導路８から上側区画部５７の縁部に沿って飛翔してきた遊技球がこの緩衝部材５９に衝突して下方の遊技領域７へ流下するように構成されている。さらに、上側区画部５７の上部には、挟持状態のクランプ３８が当接する遊技盤取付部６０を備え、上側区画部５７の右側部（遊技盤５の側部に位置する部分）には、指先を引っ掛けられる程度の窪部を設けて、遊技盤５を遊技盤収納部２３から着脱する際のハンドル部６１を形成している（図２参照）。
【００３１】
下側区画部５８は、遊技領域７側の縁部（上縁部）を円弧状に形成するとともに、上側区画部５７の右下端から遊技盤５の下側中央部分へ向けて下り傾斜させて、遊技領域７の右側中央部分から下側に亘って円弧状に区画している。また、下側区画部５８の左下端に発射球案内ユニット５６の下端を隣り合わせるとともに、アウト口周縁部６２を一体的に成形し、このアウト口周縁部６２を遊技盤本体４４のアウト口用切欠部５２の前方に位置させることで、遊技盤５上にアウト口５１を構成している。そして、下側区画部５８のアウト口周縁部６２寄り（左寄り）には、円弧状の緩衝カバー部材６３を上方および前方から被覆する状態で取り付け、下側区画部５８が遊技領域７を流下してきた遊技球の衝突により損傷する不具合を抑えるように構成されている。さらに、下側区画部５８の右下隅部には、固定状態の固定部材３９が当接する当接凹部６４を備え、該当接凹部６４の前方に証紙貼着部材６５（図３参照）を回動可能（開閉可能）な状態で配置している。
【００３２】
次に、発射球案内ユニット５６について説明する。
発射球案内ユニット５６は、遊技領域７の遊技球進入側（図中左側）を区画する部材であり、図６および図７に示すように、遊技盤５の前面側に案内誘導路８を形成する合成樹脂製の発射球案内部材６７と、該発射球案内部材６７に取り付けられ、遊技球を遊技盤５の外方（具体的には遊技盤の下方に配置された発射装置）から遊技領域７へ案内する金属製ガイドレール６８とを備え、該ガイドレール６８の下端には、ガイドレール６８の張り具合（あるいは曲率）を調整可能なガイドレール調整機構６９を設けている。
【００３３】
発射球案内部材６７は、遊技盤本体４４の前面側に取り付けるために略すみつき括弧状の取付ベース部７１を備え、該取付ベース部７１の内側縁部（図６中右側縁部）には、遊技盤５の前方へ向かって起立する発射球案内壁部７２を当該発射球案内部材６７の下端側から上端側に亘って円弧状に形成し、発射球案内壁部７２の内側にガイドレールを沿わせている。また、発射球案内壁部７２から所定間隔を空けた遊技領域７側（図６中右側）の位置に、円弧状の遊技領域区画壁部７３を発射球案内壁部７２と略平行な状態で形成し、該遊技領域区画壁部７３と発射球案内壁部７２とで案内誘導路８を区画形成するとともに、遊技領域区画壁部７３により案内誘導路８と遊技領域７とを区画している。さらに、遊技領域区画壁部７３の上端部を発射球案内壁部７２の上端部よりも下方に配置し、遊技領域区画壁部７３の上端部には、金属製板材からなる戻り球防止部材７４を設けて、遊技領域７へ入った遊技球が案内誘導路８へ戻ることを防止するように構成されている。また、遊技領域区画壁部７３の下端部には、円弧状の緩衝カバー部材７５を上方および前方から被覆する状態で取り付け、遊技領域区画壁部７３の下端部が遊技領域７を流下してきた遊技球の衝突により損傷する不具合を抑えるように構成されている。そして、取付ベース部７１の外側縁部（図６中左側縁部）の上下両側には、係止部材３６の押圧部４１が引っ掛かる係止受部７６を備えている。
【００３４】
また、取付ベース部７１の裏面のうち、上下両側部には、遊技盤本体４４の止着穴５３に嵌合する止着ボス７９を後方へ向けて突設し、上縁部には、遊技盤本体４４の上縁部に当接する平板状の上側当接部８０を後方へ向けて延設し、上下方向の中央部分の外縁部（図７中右縁部）には、遊技盤本体４４の側縁部に当接する側方当接部８１を後方へ向けて突設している。
【００３５】
さらに、側方当接部８１の上下両側方、すなわち、取付ベース部７１の裏面のうち外縁部の上下両側には、位置決め部材３７が内側に嵌合（当接）可能な位置決め当接受部８４を後方へ向けて突設している。位置決め当接受部８４は、取付ベース部７１の側縁部（図７中右縁部）よりも遊技領域７側（図７中左側）に配置され、遊技盤本体４４の収容空間部５４に収容するように構成されている。そして、位置決め当接受部８４の外側形状（具体的には、上下両側縁部および遊技領域７側の縁部）を収容空間部５４の内側形状に略等しく設定し、収容空間部５４内に位置決め当接受部８４を収容すると、位置決め当接受部８４がガタつくことなく収容空間部５４内に嵌合するように構成されている。
なお、位置決め当接受部８４の外側形状は、収容空間部５４と位置決め当接受部８４とが嵌合可能となる形状であれば、どのように設定してもよい。具体的には、位置決め当接受部８４の上下幅が収容空間部５４の上下幅に略等しく設定するとともに、位置決め当接受部８４の左右幅を収容空間部５４の左右幅に略等しく設定すれば、収容空間部５４の内側形状と異なる形状に設定してもよい。
【００３６】
また、位置決め当接受部８４の側縁側、言い換えると位置決め部材３７側（図７中右側）から遊技領域７側（図７中左側）へ向けて凹ませて横長な位置決め嵌合部８５を形成し、該位置決め嵌合部８５の遊技領域７側には、位置決め部材３７の左右方向の側端部（遊技領域７側の側端部）を当接可能な当接端部８６を形成し、位置決め嵌合部８５の当接端部８６とは反対側および後側を開放し、この開放縁部の上下幅を当接端部８６側とは反対側へ向けて次第に広くなるように設定し、位置決め部材３７の側端部が位置決め当接受部８４内に横方向から挿入し易いように構成されている。
【００３７】
そして、発射球案内ユニット５６を遊技盤本体４４の前面へ取り付けると、位置決め当接受部８４が収容空間部５４内に収納されて、遊技盤本体４４の一側縁（図７中右側縁）よりも遊技領域７寄りに配置される。したがって、遊技盤本体４４と位置決め当接受部８４とが干渉する不具合を避けることができ、遊技盤本体４４に発射球案内ユニット５６およびガイドレール６８を支障なく配置することができる。また、位置決め部材３７および位置決め当接受部８４を発射球案内ユニット５６の後方に隠すことができ、遊技盤５の取付機構の外観をシンプルに構成することができる。さらに、位置決め当接受部８４と収容空間部５４とが嵌合し、この嵌合により発射球案内ユニット５６の位置決めが行われる。
【００３８】
このような構成を備えたパチンコ遊技機１において、遊技盤収納部２３に遊技盤５を取り付けるには、まず、前面カバー部材９を大きく開き、クランプ３８を挟持解放状態に変換するとともに、固定部材３９を固定解除状態に変換しておく。この状態で、遊技領域７を前方に向けた遊技盤５の左側部を係止部材３６と背面壁部３４との間に差し込んで係止部材３６の押圧部４１を係止受部７６へ引っ掛ける（図８（ａ）参照）。すると、位置決め部材３７の側端部および前端部が位置決め当接受部８４の位置決め嵌合部８５に挿入する（図８（ｂ）参照）。
【００３９】
係止部材３６を係止受部７６へ引っ掛けたならば、遊技盤５の左側面を左側壁部３１に押し当てるようにしながら遊技盤５の右側を遊技盤収納部２３内に押し入れ、遊技盤５の下端を遊技盤載置部２５上に載置する。この載置により、遊技盤収納部２３内における遊技盤５および区画部材５０上のガイドレール６８の上下方向の位置が決まる。そして、遊技盤載置部２５に遊技盤５を載せたならば、遊技盤５を十分に後退させて背面壁部３４に遊技盤５の裏面を当接し、遊技盤収納部２３に遊技盤５を収納する（図９（ａ）参照）。すると、係止受部７６に引っ掛かった状態で係止部材３６の押圧部４１が遊技盤５を左側壁部３１側へ向けて押圧する。また、位置決め当接受部８４が左側壁部３１側へ押され、位置決め部材３７が位置決め当接受部８４の位置決め嵌合部８５に嵌合する（図９（ｂ）参照）。さらに、位置決め部材３７の側端部と位置決め当接受部８４の当接端部８６とが、遊技盤本体４４の一側縁よりも遊技領域７側にずれた位置で当接して、遊技盤収納部２３内における遊技盤５および区画部材５０上のガイドレール６８の左右方向の位置が決まる。したがって、遊技盤５の一側部と位置決め部材３７とを重なり合う状態で配置することができ、位置決め部材３７を遊技盤５の側方に配置する必要がない。このことから、遊技盤５を遊技盤収納部２３の側部まで拡げることができ、ひいては、遊技領域７を十分に広く設定することができる。これにより、遊技領域７のデザインの自由度、例えば、遊技領域７内の役物の大きさ、配置場所や配置個数等の自由度を増すことができ、遊技の興趣を高めたパチンコ遊技機１を実現することができる。また、位置決め部材３７と位置決め当接受部８４とを嵌合して位置決めを行うことにより、ガイドレール６８の左右方向の位置決めを遊技盤本体４４を介さずに行うことができ、ガイドレール６８の位置ずれを生じ難くすることができる。したがって、遊技球の所謂ムラ飛びを抑えることができる。
【００４０】
また、位置決め部材３７を嵌合する位置決め当接受部８４は、遊技盤本体４４の収容空間部５４に嵌合しているので、遊技盤５の左右方向の位置決めを行うための構成要素と、遊技盤本体４４に区画部材５０を位置決めするための構成要素とを別個に設ける必要がなく、遊技盤５の構成を簡素化することができる。また、位置決め当接受部８４を収容空間部５４の縁部で支持することができ、位置決め当接受部８４が破損する不都合を抑えることができる。
【００４１】
そして、クランプ３８を回動して挟持状態に変換し、遊技盤５の上部をクランプ３８と背面壁部３４との間に挟んで固定する。また、証紙貼着部材６５を開状態に変換して当接凹部６４の前方を開放し、この開放状態で固定部材３９を横に倒して固定状態に変換し、遊技盤５の右下部を固定係合部４７と背面壁部３４との間に挟持する。また、固定部材３９を押圧状態に変換すると、固定押圧部４８が遊技盤５の右側部を左方向（すなわち位置決め部材３７側）へ押圧する。したがって、位置決め部材３７と位置決め当接受部８４との当接状態を維持し易く、設定どおりに位置決めされた遊技盤５を安定させることができる。
【００４２】
固定部材３９を固定状態に変換したならば、この状態で証紙貼着部材６５を回動して閉状態に変換する。証紙貼着部材６５を閉状態に変換したならば、前面カバー部材９を閉じて遊技領域７を前面カバー部材９で覆う。
【００４３】
なお、上記実施形態では、遊技盤載置部２５に遊技盤５を載置することで、遊技盤５の上下方向の位置決めを行ったが、本発明はこれに限定されない。例えば、位置決め嵌合部８５の上下幅や位置決め部材３７の上下幅、あるいは位置決め嵌合部８５の上下位置や位置決め部材３７の上下位置の設定を調整し、遊技盤収納部２３に遊技盤５を収納すると、位置決め嵌合部８５に位置決め部材３７の上縁部または下縁部の少なくともいずれか一方を当接して、遊技盤収納部２３内における遊技盤５およびガイドレール６８の上下方向の位置決めを行うように構成してもよい。このように設定すれば、遊技盤５およびガイドレール６８の左右方向の位置決めを行うための構成要素と、上下方向の位置決めを行うための構成要素とを別個に設ける必要がなく、遊技盤５の構成を一層簡素化することができる。
【００４４】
また、上記実施形態では、遊技盤５の位置決め機構（位置決め部材３７および位置決め当接受部８４）を区画部材５０の後方に配置したが、本発明はこれに限定されず、遊技盤５の前面側に位置決め機構を配置してもよい。例えば、図１０に示す第２実施形態において、遊技盤収納部２３は、背面壁部３４から前方へ離間した位置、具体的には、係止部材３６と上下に並ぶ位置に位置決め部材８９を横向きに突設した状態で配置している。また、遊技盤５は、区画部材５０の発射球案内ユニット５６の前面側に位置決め当接受部９０を配置し、位置決め嵌合部９１を側方および前方へ開放した状態で横向きに形成している。さらに、位置決め嵌合部９１の開口縁部の上下幅を外側へ向けて次第に広がる状態に設定し、位置決め部材８９を挿入し易いように構成されている。このような位置決め当接受部９０および位置決め部材８９を備えて遊技盤収納部２３に遊技盤５を収納すると、背面壁部３４と位置決め部材８９との間に遊技盤５の側縁部が挟持され、この挟持状態で位置決め部材８９が位置決め当接受部９０へ嵌合される。そして、位置決め部材８９の側端部と位置決め当接受部９０の当接端部９２とが、遊技盤本体４４の一側縁よりも遊技領域７側にずれた位置で当接して、遊技盤収納部２３内における遊技盤５および区画部材５０上のガイドレール６８の左右方向の位置が決まる。したがって、位置決め部材８９により遊技盤５の左右方向の位置決めだけではなく、遊技盤５の前後方向の移動も規制することができる。
【００４５】
なお、上記した各実施形態の位置決め部材３７，８９は、遊技盤収納部２３に一体成型したが、これに限定されず、遊技盤収納部２３とは別個に位置決め部材３７，８９を形成し、この位置決め部材３７，８９を遊技盤収納部２３へ止着するようにしてもよい。
【００４６】
上記した実施形態は、代表的な遊技機であるパチンコ遊技機１を例に挙げて説明したが、本発明はこれに限らず、着脱可能な遊技盤を位置決めする位置決め機構を備えた遊技機であればどのような遊技機でもよい。例えば、内部に封入した遊技球を循環させる封入球式パチンコ機、アレンジボール式遊技機、雀球式遊技機等の遊技機であってもよい。
【００４７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００４８】
また、上記の実施形態によれば、遊技盤は、遊技盤本体と、該遊技盤本体の周縁部に配置され、遊技盤本体の前面側に遊技領域を区画形成する区画部材とを備え、該区画部材は、球発射装置から発射された遊技球を遊技領域へ案内するガイドレールと、遊技盤本体の一側縁よりも遊技領域寄りに配置され、位置決め部材の左右方向の側端部に当接可能な位置決め当接受部とを備え、係止部材は、遊技盤収納部に収納された遊技盤を位置決め部材側へ押圧可能な押圧部を備え、遊技盤収納部に遊技盤を収納すると、係止部材の押圧部により遊技盤を押圧して位置決め部材の側端部と位置決め当接受部とを遊技盤本体の一側縁よりも遊技領域側にずれた位置で当接して、遊技盤収納部内における遊技盤およびガイドレールの左右方向の位置決めを行うように構成すると、遊技盤の一側部と位置決め部材とを重なり合う状態で配置することができ、位置決め部材を遊技盤の側方に配置する必要がない。したがって、遊技盤を遊技盤収納部の側部まで拡げることができ、ひいては、遊技領域を十分に広く設定することができる。このことから、遊技領域のデザインの自由度、例えば、遊技領域内の役物の大きさ、配置場所や配置個数等の自由度を増すことができ、遊技の興趣を高めた遊技機を実現することができる。また、ガイドレールの左右方向の位置決めを遊技盤本体を介さずに行うことができ、ガイドレールの位置ずれを生じ難くすることができる。したがって、遊技球の所謂ムラ飛びを抑えることができる。
【００４９】
遊技盤本体は、その一側縁に収容空間部を遊技領域側へ凹ませた状態で形成し、区画部材は、位置決め当接受部を当該区画部材の後方へ突設し、収容空間部内へ収容可能としたので、遊技盤本体と位置決め当接受部とが干渉する不具合を避けることができ、遊技盤本体に区画部材およびガイドレールを支障なく配置することができる。また、位置決め部材および位置決め当接受部を区画部材の後方に隠すことができ、遊技盤の取付機構の外観をシンプルに構成することができる。
【００５０】
遊技盤は、収容空間部内に位置決め当接受部を嵌合可能とし、前記遊技盤本体に区画部材を取り付けると、収容空間部と位置決め当接受部との嵌合により区画部材の位置決めを行うように構成したので、遊技盤の左右方向の位置決めを行うための構成要素と、遊技盤本体に区画部材を位置決めするための構成要素とを別個に設ける必要がなく、遊技盤の構成を簡素化することができる。また、位置決め当接受部を収容空間部の縁部で支持することができ、位置決め当接受部が破損する不都合を抑えることができる。
【００５１】
位置決め当接受部は、位置決め部材側から遊技領域側へ向けて凹ませて位置決め嵌合部を形成し、遊技盤収納部に遊技盤を収納すると、位置決め嵌合部に位置決め部材の上縁部または下縁部の少なくともいずれか一方を当接して、遊技盤収納部内における遊技盤およびガイドレールの上下方向の位置決めを行うように構成したので、遊技盤およびガイドレールの左右方向の位置決めを行うための構成要素と、上下方向の位置決めを行うための構成要素とを別個に設ける必要がなく、遊技盤の構成を一層簡素化することができる。
【００５２】
固定部材は、遊技盤の前面を押圧して遊技盤の前後方向の移動を規制可能な固定係合部と、遊技盤の他側部を位置決め部材側へ押圧する固定押圧部とを備えたので、位置決め部材と位置決め当接受部との当接状態を維持し易く、設定どおりに位置決めされた遊技盤を安定させることができる。
【符号の説明】
【００５３】
１  パチンコ遊技機
３  前面枠
４  前面枠本体
５  遊技盤
２３  遊技盤収納部
２５  遊技盤載置部
３１  左側壁部
３２  右側壁部
３３  上側壁部
３４  背面壁部
３６  係止部材
３７  位置決め部材
３８  クランプ
３９  固定部材
４１  押圧部
４４  遊技盤本体
５０  区画部材
５４  収容空間部
５６  発射球案内ユニット
６７  発射球案内部材
６８  ガイドレール
７２  発射球案内壁部
７３  遊技領域区画壁部
７６  係止受部
８４  位置決め当接受部
８５  位置決め嵌合部
８６  当接端部
８９  位置決め部材
９０  位置決め当接受部
９１  位置決め嵌合部
９２  当接端部
【図１】
2010075767.tif 000003
【図２】
2010075767.tif 000004
【図３】
2010075767.tif 000005
【図４】
2010075767.tif 000006
【図５】
2010075767.tif 000007
【図６】
2010075767.tif 000008
【図７】
2010075767.tif 000009
【図８】
2010075767.tif 000010
【図９】
2010075767.tif 000011
【図１０】
2010075767.tif 000012